(57)【要約】【課題】対象物に流体を吹付けることができると共に、少なくともこの吹付けられた流体を回収し、この回収された流体を濾過して再び利用可能な流体噴射回収装置を提供する。【解決手段】内部に流体を収容可能なメインタンク１１と、メインタンク１１内に収容された流体を濾過可能な濾過器１２と、濾過器１２で濾過された流体を対象物に吹付ける流体吹付器１３と、前記対象物に吹付けられた流体及び当該流体によって除去された汚れをメインタンク１１内に回収可能な回収器１４と、を備えた流体噴射回収装置である。【選択図】　　　　図１
2004141845.tif 000002
【特許請求の範囲】
【請求項１】
内部に流体を収容可能なメインタンクと、
前記メインタンクに接続され、かつ当該メインタンク内に収容された流体を濾過可能な濾過器と、
前記濾過器に接続され、かつ前記濾過器で濾過された流体を対象物に吹付ける流体吹付器と、
前記メインタンクに接続され、かつ少なくとも前記対象物に吹付けられた流体を前記メインタンク内に回収可能な回収器と、
を備えた流体噴射回収装置。
【請求項２】
前記回収器は、前記対象物に吹付けられた流体及び当該流体によって除去された除去物を回収可能である請求項１記載の流体噴射回収装置。
【請求項３】
前記回収器は、前記メインタンクに接続された吸引ホースと、当該吸引ホースの先端に接続されたノズルと、を備え、
前記ノズルは、前記対象物と対向可能な開口部と、少なくとも前記対象物に吹付けられた流体を吸引する吸引口と、を有すると共に、前記流体吹付器の先端が接続されてなる請求項１または請求項２記載の流体噴射回収装置。
【請求項４】
前記吸引口は、前記対象物に吹付けられた流体及び当該流体によって除去された除去物を吸引する請求項３記載の流体噴射回収装置。
【請求項５】
前記メインタンクに、当該メインタンク内の気体を吸引して該メインタンク内を負圧にする吸引器を接続した請求項１ないし請求項４のいずれか一項に記載の流体噴射回収装置。
【請求項６】
前記流体が液体であり、前記吸引器は、前記メインタンク内の気体と液体とを分離する気液分離装置を有し、当該気液分離装置を介して、前記メインタンク内の気体を吸引して該メインタンク内を負圧にする請求項５記載の流体噴射回収装置。
【請求項７】
前記気液分離装置は、気液混合流体が導入される流体導入室を備え、当該流体導入室内に旋回流を発生させ、サイクロンの原理で気体と液体とを分離させる請求項６記載の流体噴射回収装置。
【請求項８】
前記回収器は、前記メインタンク内の負圧によって、少なくとも前記対象物に吹付けられた流体を前記メインタンク内に回収する請求項５または請求項６記載の流体噴射回収装置。
【請求項９】
前記回収器は、前記対象物に吹付けられた流体及び当該流体によって除去された除去物を回収する請求項８記載の流体噴射回収装置。
【請求項１０】
前記流体吹付器は、前記濾過器に接続された流体供給チューブと、前記濾過器で濾過された流体を当該流体供給チューブに供給し、かつ該流体供給チューブの先端から当該流体を吹出させるポンプと、を備えた請求項１ないし請求項９のいずれか一項に記載の流体噴出回収装置。
【請求項１１】
前記メインタンクに、該メインタンク内に前記流体を補充する補充タンクを接続した請求項１ないし請求項１０のいずれか一項に記載の流体噴出回収装置。
【請求項１２】
前記メインタンクに、当該メインタンク内に前記流体を補充する補充タンクをコックを介して接続し、当該コックを開状態にした際に、前記メインタンク内の負圧によって、当該補充タンク内の流体が当該メインタンク内に移動する請求項５ないし請求項１１のいずれか一項に記載の流体噴射回収装置。
【請求項１３】
前記メインタンクに、当該メインタンク内に収容された流体の温度を調節可能な温度調節器を接続した請求項１ないし請求項１２のいずれか一項に記載の流体噴射回収装置。
【請求項１４】
前記メインタンク内に収容された流体がアルカリ性洗浄液である請求項１ないし請求項１３のいずれか一項に記載の流体噴射回収装置。
【請求項１５】
内部に流体を収容可能なサブタンクをさらに備え、
前記濾過器と前記サブタンクは、切換バルブを介して前記流体吹付器に接続され、当該切換バルブの動作に応じて当該流体吹付器への流体の供給を制御する請求項１ないし請求項１４のいずれか一項に記載の流体噴射回収装置。
【請求項１６】
前記サブタンク内に収容された流体が、洗浄仕上液であり、前記メインタンクから前記対象物に吹付けられた流体及び当該流体によって除去された除去物の残渣を、前記回収器によって前記メインタンク内に回収させる請求項１ないし請求項１５のいずれか一項に記載の流体噴射回収装置。
【請求項１７】
前記流体吹付器から噴出される流体の圧力を制御する圧力制御装置をさらに備えた請求項１ないし請求項１６のいずれか一項に記載の流体噴射回収装置。
【請求項１８】
前記流体吹付器から噴出される流体の流量を制御する流量制御装置をさらに備えた請求項１ないし請求項１７のいずれか一項に記載の流体噴射回収装置。
【発明の詳細な説明】
【０００１】
【発明が属する技術分野】
本発明は、流体を対象物に吹付け（噴射し）、少なくとも前記対象物に吹付けられた流体を回収し、この回収した流体を濾過して再び使用する流体噴射回収装置に関する。
【０００２】
【従来の技術】
従来、例えば、壁、天井、床、風呂場、トイレ、家具、あるいは換気扇やエアコン等の機器、さらに自動車、自動二輪車、自転車等の乗り物類等の対象物（被洗浄物）に付着した汚れは、比較的取り除き難く、洗浄が困難である。特に、これらの被洗浄物にこびりついた油汚れ等は、通常の洗浄液でふき取る、あるいは洗い流すことが困難である。
【０００３】
そこで、近年では、被洗浄物に付着した汚れに洗浄液を吹付けて、この洗浄液の吹付力で、当該汚れを落とす洗浄装置が提案されている。また、洗浄装置で落としきれない汚れは、例えば、雑巾やたわし、モップ等で再度こする等して除去している。しかしながら、この洗浄装置は、例えば、床等の水平な面に付着した汚れを洗浄する場合、床等に吹付けられた洗浄液及びこの洗浄液によって除去された汚れ（以下、この「吹付けられた洗浄液」及び「この洗浄液によって除去された汚れ」をまとめて、単に「汚水」ということがある）が、そのまま床面等に残るため、これらを例えば雑巾等でふき取る必要があった。
【０００４】
また、壁等の垂直な面や天井等に付着した汚れを洗浄する場合も、これらに吹付けられた洗浄液と、この洗浄液によって除去された汚れが、液だれあるいは落下し、この汚水を例えば雑巾等でふき取る必要がある。また、汚れていなかった部分に前記汚水が液だれあるいは落下した場合は、さらにこの部分の清掃も必要となる。さらにまた、汚れを洗浄すべき壁や天井の下に、例えば植木や、家具、電化製品等が置かれている場合、これらに液だれや落下した洗浄液がかかると、植木が枯れたり、家具や電化製品等が損傷したり故障する等の問題もある。そこで、この場合は、前記植木や、家具、電化製品等にビニールシート等のカバーを被せる等して、これらに直接汚水がかからないようにして、壁や天井等の汚れを洗浄する必要があった。
【０００５】
また、昨今、寝たきりや痴呆症などの高齢者急増に伴い、その介護、特に排泄物の処理が非常に重大な懸案となってきている。これまで、こうした高齢者の排泄物処理にはオムツを用いていた。すなわち排泄終了後、もしくは定期的にオムツを交換することで、排泄物処理を行っているのが現状である。だが、オムツを交換しただけでは、身体に排泄物の一部が付着したままとなり、衛生上問題がある。ゆえにオムツ交換時に、依然として身体に付着している排泄物を除去してやる必要がある。
【０００６】
これまでこうした作業は、市販の清浄用品や蒸しタオルなどを用い、手作業にて行われてきた。すなわち、介護者が高齢者の身体の汚れた部位を直接拭いているのが、つまり身体に付着した排泄物を拭き取っているのが実情である。しかしながら、身体に付着した排泄物は、オムツを交換する頃には既に固まっていることが（固着状態となっていることが）多く、手作業にてそれを除去するには多大な時間や労力が必要となる。
【０００７】
そこで、本出願人は、前述したような汚れ等の被吸引物を容易に吸引除去することが可能な吸引装置を提案している。（特許文献１）。
【０００８】
【特許文献１】
特開２００１−１６１７６２号公報
【発明が解決しようとする課題】
しかしながら、前記汚水を吸引して回収するタイプの吸引装置は、被洗浄物に汚水が残ったり、汚水の液だれや落下等が生じることがなく、洗浄作業を簡略化することができるが、回収された汚水は廃棄され、再び洗浄液等として再利用することができなかった。このため、洗浄液の消費量が多く、また、使用済み洗浄剤や汚水等の量を減らすことができなかった。
【０００９】
本発明は、このような従来の吸引装置を改良することを目的とするものであり、流体を対象物に吹付ける（噴射させる）ことができると共に、少なくともこの吹付けられた流体をメインタンク内に回収し、この回収された流体を濾過して再び利用可能な流体噴射回収装置を提供することを目的とする。
【００１０】
【課題を解決するための手段】
この目的を達成するため本発明は、内部に流体を収容可能なメインタンクと、前記メインタンクに接続され、かつ当該メインタンク内に収容された流体を濾過可能な濾過器と、前記濾過器に接続され、かつ前記濾過器で濾過された流体を対象物に吹付ける流体吹付器と、前記メインタンクに接続され、かつ少なくとも前記対象物に吹付けられた流体を前記メインタンク内に回収可能な回収器と、を備えた流体噴射回収装置を提供するものである。
【００１１】
この構成を備えた流体噴射回収装置は、回収器によってメインタンク内に回収された流体を、濾過器によって濾過し、この濾過された流体吹付器から対象物に対して吹付けることができる。このため、前記流体を効率よく再使用することができ、前記流体の補充インターバルを長くとることができる。また、少なくとも流体吹付器から対象物に吹付けられた流体は、メインタンク内に確実に回収されるため、例えば、対象物の下方や付近に流体が飛び散ったり、落下することがない。したがって、様々な場所で安心して使用することができる。
【００１２】
ここで、本発明でいう対象物とは、本発明にかかる流体噴射回収装置から噴射される流体が吹付けられる物であれば、特に限定される物ではないが、例えば、壁、天井、床、風呂場、トイレ、家具、あるいは換気扇やエアコン等の機器、さらに自動車、自動二輪車、自転車等の乗り物類、各種機械類、コンクリートや石、金属等の部材、人間や他の動物の身体等、様々な物が挙げられる。
【００１３】
また、前記回収器は、前記対象物に吹付けられた流体の他、当該流体によって除去された除去物も回収可能とすることができる。
【００１４】
このような構成にすることで、流体吹付器から対象物に吹付けられ流体によって除去された除去物もメインタンク内に確実に回収される。
【００１５】
ここで、本願でいう除去物とは、流体吹付器から対象物に吹付けられ流体によって除去されるものであれば、特に限定されるものではないが、例えば、対象物に付着していた洗浄除去されるべき汚れ、対象物を高圧の流体（例えば、ウオータジェット等）で切断した際に発生する欠片、対象物（例えば、人間やその他の動物の身体や顔等）を流体によりマッサージした際に対象物から剥がれ落ちる剥離片（例えば、垢等）、様々な物が挙げられる。
【００１６】
また、前記回収器は、前記メインタンクに接続された吸引ホースと、当該吸引ホースの先端に接続されたノズルと、を備え、前記ノズルは、前記対象物と対向可能な開口部と、少なくとも前記対象物に吹付けられた流体を吸引する吸引口と、を有すると共に、前記流体吹付器の先端が接続されてなるよう構成することができる。
【００１７】
このような構成にすることで、前記利点に加え、前記対象物に対して、ノズルを介して前記流体をより効率良く吹付けること（作用させること）ができる。
【００１８】
そしてまた、前記吸引口は、前記対象物に吹付けられた流体の他、当該流体によって除去された除去物を吸引することもできる。
【００１９】
また、本発明にかかる流体噴射回収装置は、前記メインタンクに、当該メインタンク内の気体を吸引して該メインタンク内を負圧にする吸引器を接続することができる。
【００２０】
そしてまた、前記流体が液体であり、前記吸引器は、前記メインタンク内の気体と液体とを分離する気液分離装置を有し、当該気液分離装置を介して、前記メインタンク内の気体を吸引して該メインタンク内を負圧にするよう構成することもできる。
【００２１】
前記気液分離装置は、気液混合流体が導入される流体導入室を備え、当該流体導入室内に旋回流を発生させ、サイクロンの原理で気体と液体とを分離させるよう構成することもできる。
【００２２】
また、前記回収器は、前記メインタンク内の負圧によって、少なくとも前記対象物に吹付けられた流体を前記メインタンク内に回収することができる。
【００２３】
そしてまた、前記回収器は、前記対象物に吹付けられた流体及び当該流体によって除去された除去物を回収することもできる。
【００２４】
前記流体吹付器の一態様としては、前記濾過器に接続された流体供給チューブと、前記濾過器で濾過された流体を当該流体供給チューブに供給し、かつ当該流体供給チューブの先端から当該流体を吹出させるポンプと、を備えることができる。
【００２５】
また、前記メインタンクには、該メインタンク内に前記流体を補充する補充タンクを接続することができる。
【００２６】
さらに具体的には、前記メインタンクに、当該メインタンク内に前記流体を補充する補充タンクをコックを介して接続し、当該コックを開状態にした際に、前記メインタンク内の負圧によって、当該補充タンク内の流体が当該メインタンク内に移動させることもできる。
【００２７】
このようにすることで、流体噴射回収装置の運転中であっても、流体噴射回収装置の運転を停止させることなく、コックを開くだけで、メインタンク内に流体の補充を行うことができる。
【００２８】
そしてまた、前記メインタンクには、当該メインタンク内に収容された流体の温度を調節可能な温度調節器を接続することもできる。
【００２９】
このようにすることで、前記対象物に付着した除去物に吹付けられる流体の温度を、当該除去物の除去に最適な温度に維持することができるため、さらに効率の良い洗浄を行うことができる。
【００３０】
前記メインタンク内に収容された流体は、例えば、水（温水）、水蒸気、アルカリ性洗浄液、あるいはさらに強力な強アルカリ洗浄液、漂白剤やカビ取り剤のような塩素系洗浄液、中性洗剤、アルコール系消毒液、化粧水、美容液、保湿液、アロマ剤（香気剤）剤入り溶液や蒸気等、使用目的に応じて任意に選択することができる。勿論、これらの流体の温度、吹付け量等の条件も、流体の種類や使用目的に応じて適宜選択することができる。
【００３１】
そしてまた、本発明にかかる流体噴射回収装置は、内部に流体を収容可能なサブタンクをさらに備え、前記濾過器と前記サブタンクは、切換バルブを介して前記流体吹付器に接続され、当該切換バルブの動作に応じて当該流体吹付器への流体の供給を制御することもできる。
【００３２】
さらにまた、前記サブタンク内に収容された流体が、洗浄仕上液であり、前記メインタンクから前記対象物に吹付けられた流体及び当該流体によって除去された除去物の残渣を、前記回収器によって前記メインタンク内に回収するよう構成してもよい。
【００３３】
このように構成すれば、例えば、メインタンク内にアルカリ性洗浄液等の洗剤が収容されていた場合であっても、この洗剤によって除去物（例えば、汚れ）を除去（洗浄）した後、切換バルブを切り換えて、この部分に洗浄仕上げ液を流体吹付器から吹付けることで、前記洗剤や除去物の残渣を確実に除去、回収することができる。このため、面倒な水拭き等をする必要がなく、洗浄作業をより簡略化することができる。なお、前記洗浄仕上液としては、水（温水）等が挙げられる。
【００３４】
そしてまた、本発明にかかる流体噴射回収装置は、前記流体吹付器から噴出される流体の圧力を制御する圧力制御装置をさらに備えることもできる。
【００３５】
このようにすることで、流体の圧力を高くすれば、例えば、ウオータジェット等により、コンクリートや石、金属等を切断することも可能となる。また、流体の圧力を人間やその他の動物の身体や顔等に吹付けた際に、心地よい圧力にすれば、マッサージ効果や美顔効果等を得ることもできる。
【００３６】
さらにまた、本発明にかかる流体噴射回収装置は、前記流体吹付器から噴出される流体の流量を制御する流量制御装置をさらに備えることもできる。
【００３７】
【発明の実施の形態】
次に、本発明の実施の形態にかかる流体噴射回収装置について、図面を参照して説明する。なお、以下に記載される実施の形態１〜３は、本発明を説明するための例示であり、本発明をこれらの実施形態にのみ限定するものではない。したがって、本発明は、その要旨を逸脱しない限り、様々な形態で実施することができる。
（実施の形態１）
図１は、本発明の実施の形態１にかかる流体噴射回収装置の概略図、図２は、図１に示す流体噴射回収装置の濾過器付近を示す拡大側面図、図３は、図１に示すＩＩＩ−ＩＩＩ線に沿った断面図、図４は、図１に示す流体噴射回収装置の流体の循環を示す概念図である。
【００３８】
なお、実施の形態１では、対象物として壁を、除去物としてこの壁に付着した汚れを、流体として洗浄液を使用した場合を例にとって説明する。
【００３９】
図１〜図４に示すように、実施の形態１にかかる流体噴射回収装置１は、内部に洗浄液１００を収容可能なメインタンク１１と、メインタンク１１に接続され、メインタンク１１内に収容された洗浄液１００を濾過する濾過器１２と、濾過器１２に接続され、濾過器１２で濾過された洗浄液１００を対象物としての壁１１０に吹付ける流体吹付器１３と、メインタンク１１に接続され、壁１１０に吹付けられた洗浄液１００及びこの洗浄液１００によって除去された汚れ１１１をメインタンク１１内に回収する回収器１４と、メインタンク１１に接続され、メインタンク１１内の気体を吸引してメインタンク１１内を負圧にする吸引器１５と、メインタンク１１に接続され、メインタンク１１内に収容された洗浄液１００の温度を制御するヒータ１６と、流体噴射回収装置１の運転を制御する制御盤１７と、これらを載置して移動可能な基台１８と、を備えて構成されている。
【００４０】
メインタンク１１は、密閉可能な略円筒形を有し、吸引器１５による減圧（例えば、約１５×１０３Ｐａ）に耐えうる強度を有している。また内部に収容される洗浄液１００に犯されない材質で構成されている。メインタンク１１の上面（天井面）には、その内部に洗浄液１００を投入するための投入口２１が形成されている。メインタンク１１の下部には、内部の洗浄液１００を外部に排出するためのドレイン用コック２２が設けられている。また、メインタンク１１の壁面には、内部に収容した洗浄液１００の液量を目視可能な液面計２３と、後に詳述する流体吹付器１３の流体供給チューブ３１と、回収器１４の吸引ホース３５を掛止可能なフック２４が設けられている。
【００４１】
濾過器１２は、連結ホース２８を介してメインタンク１１に連通されている。この濾過器１２は、メインタンク１１内に収容された洗浄液１００が連結ホース２８を介して供給されるタンク２６と、タンク２６内に収容され、洗浄液１００を濾過するフィルタ２７を備えて構成されている。このフィルタ２７は、洗浄液１００の種類や、壁１１０に付着した汚れ１１１等に応じて良好な濾過を行うことができるよう、材質、メッシュのサイズ等の条件を任意に選択することができる。また、交換も可能であり、タンク２６内から取り出して洗浄することもできる。
【００４２】
流体吹付器１３は、基端が濾過器１２のフィルタ２７に接続され、先端が後に詳述するノズル３６に接続された流体供給チューブ３１と、流体供給チューブ３１に接続されたポンプ３２を備えて構成されている。このポンプ３２は、濾過器１２内に収容されかつフィルタ２７により濾過された洗浄液１００を汲み上げて流体供給チューブ３１の先端から吹出させるものである。この流体供給チューブ３１は、留め具３３によって、吸引ホース３５に固定されている。
【００４３】
回収器１４は、基端がメインタンク１１に接続され、先端がノズル３６に接続された吸引ホース３５を備えている。この吸引ホース３５の基端は、メインタンク１１内を気密にできるよう、例えばＯリング等のシール部材を介して接続されている。前記ノズル３６は、特に図３に示すように、筒状のノズル本体５１と、その内部に設けられた断面Ｌ字形の遮蔽板５３と、この遮蔽板５３に連結され、遮蔽板５３を変位させるための駆動部５４を備えている。このノズル３６内には、流体供給チューブ３１の先端が、中空のステイ５５に支持された状態で配置されており、流体供給チューブ３１の先端から噴出した洗浄液１００は、ステイ５５を経てノズル本体５１の先端側に形成された開口部５２から壁１１０に付着した汚れ１１１に対して吹付けられる。
【００４４】
遮蔽板５３は、断面略Ｌ字状を有し、このＬ字状を画定する略垂直面部分の略中央部分に、開口部５３ａが形成されている。駆動部５４は、環状のガイド壁部５６内の空間に設けられたピストン部５７が、軸部５８を介して遮蔽板５３に連結された構成となっている。この軸部８には、ピストン部５７を上方に付勢するコイル状のスプリング５９が設けられている。この駆動部５４は、ノズル本体５１内が十分な負圧になった際に、大気圧とこの負圧との差圧が、ピストン部５７をスプリング５９の弾撥力に抗して下方（ノズル本体１の内部空間に近接する方向）に変位させ、更に、このピストン部５７の変位が、軸部５８を介して遮蔽板５３を変位させるよう構成されている。したがって、ノズル３６は、ノズル本体５１内が十分な負圧となっていない状態、つまりノズル３６が壁１１０から離間している状態では、上限位置に存在しており、開口部５３ａの下部面に、流体供給チューブ３１から噴出した洗浄液１００が衝突し、ノズル３６の開口部５２から外部に噴出しない。一方、ノズル本体５１内が十分な負圧になった際には、この負圧との差圧が、ピストン部５７をスプリング５９の弾撥力に抗して遮蔽板５３を下方（ノズル本体１の内部空間に近接する方向）に変位させ、開口部５３ａから洗浄液１００を噴出させる。なお、符号６０は、周囲の外気をノズル本体１内に導入する役割を果たすための切欠部である。
【００４５】
なお、このようなノズルに関しては、例えば、特開２００１−２４５９５３号公報、特開２００１−２４５９５２号公報、特開２００１−２５２３２９号公報、特開２００１−２７６１７２号公報、及び特開２００１−２９９９０３号公報等に記載されている既に公知のノズルも好適に使用することができる。
【００４６】
また、ノズル３６の開口部５２には、例えば、図示しないブラシ毛やスポンジ等を設け、これらによって汚れ１１１をこする動作を付加する等して補助的な除去を行うこともできる。
【００４７】
吸引器１５は、ファンモータ４１と、一端がファンモータ４１に接続された吸引ホース４２と、吸引ホース４２の他端に接続された気液分離装置としてのセパレータ４３を備えて構成されている。この吸引ホース４２は、メインタンク１１内を気密にできるよう、例えばＯリング等のシール部材を介して、メインタンク１１内に引き込まれ、セパレータ４３に接続されている。
【００４８】
このセパレータ４３は、メインタンク１１内であって、洗浄液１００の水面より上部に配置されたケース４４内に収容されており、羽根車と、この羽根車により回転されている水分離器で構成され、吸引ホース４２から吸引したメインタンク１１内の気体中、あるいは洗浄液１００の液面より水滴がファンモータの中に浸入することを防止している。なお、このセパレータ４３（気液分離機構）は、例えば、特開平１０−３０４９９３号公報に記載されているものが好適に使用できる。
【００４９】
次に、実施の形態１にかかる流体噴射回収装置１を使用して、壁１１０に付着した油性の汚れ１１１を除去する際の具体的動作について説明する。
【００５０】
メインタンク１１内に所望の洗浄液１００を所定量収容する。この洗浄液１００は、ヒータ１６によって、任意の温度に保温されている。
【００５１】
制御盤１７を操作して吸引器１５のファンモータ４１を駆動すると、ファンモータ４１の吸気力により、吸引ホース４２を介してメインタンク１１内の気体が吸引される。この吸引時、前記気体の流れにより、セパレータ４３の羽根車が回転し、同時に、水分離器が回転し、吸気の際の気体と一緒に飛び散った洗浄水１００を遠心力により振り払い、ファンモータ４１に洗浄液１００が吸い込まれないようにしている。この吸引された気体は、ファンモータ４１を通り、所定の排気口から外部に排出される。
【００５２】
一方、ポンプ３２の作動によって、洗浄液１００は、濾過器１２のタンク２６内に収容されている洗浄液１００を汲み上げ、流体供給チューブ３１を介して、洗浄液１００をノズル３６に供給する。この状態では、つまりノズル３６が壁１１０から離間しているため、ノズル本体５１内が十分な負圧となっていない。したがって、ピストン部５７はノズル上限位置に存在しており、流体供給チューブ３１から噴出している洗浄液１００は、開口部５３ａの下部面に衝突し、ノズル３６の開口部５２から外部に噴出しない。
【００５３】
この状態で、ノズル３６の開口部５２を壁１１０に押し当てると、吸引器１５の吸引によって、ノズル本体５１内が十分な負圧になる。すなわち、大気圧と、この負圧との差圧によって、駆動部５４のピストン部５７がスプリング５９の弾撥力に抗して、ノズル３６の内側（下方）に向けて変位させる。さらに、このピストン部５７の変位が、軸部５８を介して遮蔽板５３を変位させ、開口部５３ａから洗浄液１００を壁１１０に向けて噴出させる。
【００５４】
この動作によって、ノズル３６の開口部５２から、汚れ１１１が付着した壁１１０に吹付けられた洗浄液１００は、その吹付け力及び洗浄力等によって、壁１１０から汚れ１１１を除去し、除去された汚れ１１１、吹付けられた洗浄液１００を含む汚水は、直ちにノズル３６を介して吸引ホース３５から吸引され、メインタンク１１内に回収される。したがって、吹付けられた洗浄液１００や除去された汚れ１１１等が、壁１１０づたいに液だれしたり、あるいは落下して床等を汚したりすることがない。以上によって、メインタンク１１内は、洗浄液１００と回収した汚水とが共存することになる。
【００５５】
メインタンク１１内に収容された洗浄液１００及び汚水は、ポンプ３２の作動によって濾過器１２に供給され、ここでフィルタ２７によって濾過されて流体供給チューブ３１から、再び洗浄液１００としてノズル３６に供給される。
【００５６】
このように、実施の形態１にかかる流体噴射回収装置１は、図４に示すように、「洗浄液１００の吹付け→吹付けられた洗浄液１００による汚れ１１１の除去→吹付けられた洗浄液１００と汚れ１１１の吸引回収→回収された洗浄液１００及び汚れ１１１の濾過→濾過されて再び洗浄液１００として吹付けられる」、というサイクルを繰り返す。この結果、洗浄液１００を効率よく再使用することができ、洗浄液１００の補充インターバルを長くとることができる。したがって、流体噴射回収装置１の連続運転時間を長くとることができ、作業効率が向上すると共に、廃棄される洗浄液１００の量も減らすことができる。
【００５７】
この洗浄作業中、メインタンク１１内の洗浄液１００の液量は、液面計２３によって確認することができ、洗浄液１００が不足した場合は、投入口２１から適宜補充すればよい。また、メインタンク１１内の洗浄液１００を総入換えする場合は、コック２２を開いて、メインタンク１１内の洗浄液１００を簡単に廃棄することができる。洗浄作業が終了した際には、吸引ホース３５及び流体供給チューブ３１を、フック２４に引っ掛けて収納すれば、コンパクトに保管することができる。
【００５８】
なお、この流体噴射回収装置１は、図示しない任意のハウジング内に収容することもできる。また、基台１８には、車輪１９と、ハンドル２０が設けられているため、簡単に移動させることができる。
（実施の形態２）
次に、本発明の実施の形態２にかかる流体噴射回収装置について図面を参照して説明する。
【００５９】
図５は、実施の形態２にかかる流体噴射回収装置の概略図である。なお、実施の形態２では、実施の形態１で説明した流体噴射回収装置１と同様の部材には、同一の符号を付し、その詳細な説明は省略する。
【００６０】
図５に示すように、実施の形態２にかかる流体噴射回収装置２の、実施の形態１にかかる流体噴射回収装置１との異なる点は、洗浄液１００をメインタンク１１内に補充する補充タンク６１と、内部に洗浄仕上液１０１を収容可能なサブタンク７１を、メインタンク１１に接続した点と、濾過器１２が電磁バルブ７２を介してポンプ３２に接続されている点である。
【００６１】
補充タンク６１は内部に洗浄液１００を収容可能であり、この補充タンク６１の内部には、この洗浄液１００をメインタンク１１内に供給するための供給用チューブ６３の一端が挿入されている。また、この供給用チューブ６３の他端は、メインタンク１１に取付けられたコック６４に、カップラ６５によって接続されている。なお、この補充タンク６１内に収容されている洗浄液１００は、吸引器１５による気体の吸引によって、メインタンク１１内が負圧になっていることを利用して、コック６４を開くだけで、自動的にメインタンク１１内に移動（供給）される。
【００６２】
サブタンク７１は、サブタンク７１内に収容された洗浄仕上液１０１を供給するための供給用チューブ７３が接続されている。この供給用チューブ７３は、電磁バルブ７２を介してポンプ３２に接続されている。また、濾過器１２も電磁バルブ７２を介してポンプ３２に接続されている。すなわち、電磁バルブ７２を切り換えることで、濾過器１２内に収容された洗浄液１００を流体供給チューブ３１に供給するか、あるいは洗浄仕上液１０１を流体供給チューブ３１に供給するか、を適宜選択することができる。
【００６３】
次に、実施の形態２にかかる流体噴射回収装置２の具体的動作について説明する。
【００６４】
流体噴射回収装置２は、壁１１０に付着した汚れ１１１の除去（洗浄）を開始する初期状態では、電磁バルブ７２は、濾過器１２内に収容されている洗浄液１００が流体供給チューブ３１に供給されるように設定されている。また、補充タンク６１に接続されているコック６４は、閉じられている。
【００６５】
この状態で、実施の形態１で説明した流体噴射回収装置１と同様に制御盤１７を操作して吸引器１５のファンモータ４１を駆動し、メインタンク１１内を負圧にする。また、ポンプ３２を作動させ、濾過器１２のタンク２６内に収容されている洗浄液１００を汲み上げ、流体供給チューブ３１を介して、洗浄液１００をノズル３６に供給する。
【００６６】
この状態で、ノズル３６を壁１１０に押し当てると、ノズル本体５１内が十分な負圧になり、ノズル３６のピストン部５７がノズル３６の内側に向けて変位し、開口部５３ａから洗浄液１００を壁１１０に向けて噴出させる。
【００６７】
この動作によって、実施の形態１と同様に、ノズル３６の開口部５２から汚れ１１１が付着した壁１１０に吹付けられた洗浄液１００は、その吹付け力及び洗浄力等によって、壁１１０から汚れ１１１を除去し、除去された汚れ１１１、吹付けられた洗浄液１００を含む汚水は、直ちにノズル３６を介して吸引ホース３５から吸引され、メインタンク１１内に回収される。
【００６８】
メインタンク１１内に収容された洗浄液１００及び汚水は、ポンプ３２の作動によって、濾過器１２に供給され、ここで濾過されて流体供給チューブ３１から、再び洗浄液１００としてノズル３６に供給される。
【００６９】
この動作を繰り返している際に、液面計２３を目視することによって、メインタンク１１内の洗浄液１００の水位が下がり、メインタンク１１内に洗浄液１００を補充する必要が生じたことを確認した場合は、コック６４を開くと、補充タンク６１内に収容されていた洗浄液１００が、メインタンク１１内に吸引されて移動する。この時、メインタンク１１内は、負圧になっているため、ポンプ等の装置を補充タンク６１に接続することなく、補充タンク６１内に収容されている洗浄液１００をメインタンク１１内に移動させることができる。
【００７０】
このように、流体噴射回収装置２の運転を停止することなく、コック６４をひねるだけで、簡単にメインタンク１１内に洗浄液１００を補充することができる。適量の洗浄液１００をメインタンク１１内に補充した後は、再びコック６４を閉めておけばよい。
【００７１】
なお、メインタンク１１には、内部に収容された洗浄液１００の水位が一定の高さより低くなった場合に、アラーム等で知らせる機構を設けてもよい。
【００７２】
このように、実施の形態２にかかる流体噴射回収装置２は、実施の形態１にかかる流体噴射回収装置１と同様に、洗浄液１００の再使用ができることに加え、簡単にメインタンク１１内に洗浄液１００を補充することができる。
【００７３】
次に、洗浄液１００を使用した壁１１０の洗浄が終了した後、制御盤１７を操作して電磁バルブ７２を切り換えて、サブタンク７１内から流体供給チューブ３１に洗浄仕上液１０１を供給する。この洗浄仕上液１０１は、例えば、水やぬるま湯、あるいはお湯等、洗浄の仕上げ液として使用可能な流体が好適に使用される。この洗浄仕上液１０１も、前述した洗浄液１００と同様に、ノズル３６の開口部５２から壁１１０に吹付けられ、壁１１０に吹付けられた洗浄液１００の残渣（残り）、洗浄液１００によって除去された汚れ１１１の残渣と共に、吸引ホース３５を介してメインタンク１１内に回収される。
【００７４】
したがって、例えば、メインタンク１１内に収容していた洗浄液１００が、強アルカリ性洗浄液等の洗剤であっても、この洗浄液１００によって汚れ１１１を除去した後、電磁バルブ７２を切り換えて、この部分に洗浄仕上液１０１を吹付けることで、洗浄液１００や汚れ１１１の残渣を確実に除去、回収することができる。このため、面倒な水拭き等をする必要がなく、洗浄作業をより簡略化することができる。
【００７５】
なお、実施の形態２では、補充タンク６１と、サブタンク７１を両方備えた場合について説明したが、これに限らず、補充タンク６１あるいはサブタンク７１のいずれか一方のみを備えていてもよい。
【００７６】
また、実施の形態２では、補充タンク６１は、メインタンク１１に対し別体に構成し、両者を供給用チューブ６３で接続した場合について説明したが、これに限らず、例えば、図６に示すように、補充タンク６１をメインタンク１１に直接設置してもよい。
【００７７】
また、サブタンク７１には、洗浄仕上液１０１を収容した場合について説明したが、これに限らず、サブタンク７１内は、他の種類の洗浄液や、つや出し剤等、任意の流体を収容してもよい。
【００７８】
なお、実施の形態１及び実施の形態２では、壁１１０に付着した汚れ１１１を除去（洗浄）する場合について説明したが、これに限らず、本発明にかかる流体噴射回収装置は、洗浄剤１００の種類等を変更することにより、様々な部分を洗浄することができることは勿論である。
（実施の形態３）
次に、本発明の実施の形態３にかかる流体噴射回収装置について図面を参照して説明する。
【００７９】
図７は、実施の形態３にかかる流体噴射回収装置の側面の一部を破断した状態を示す図、図８は、図７に示す流体噴射回収装置のセパレータ部分を示す平面図、図９は、図７に示す流体噴射回収装置の流体の循環を示す概念図である。
【００８０】
なお、実施の形態３では、対象物として身体を、流体として水（温水）を使用した場合を例にとって説明する。また、実施の形態３では、前述した実施の形態で説明した流体噴射回収装置１及び２と同様の部材には、同一の符号を付し、その詳細な説明は省略する。
【００８１】
図７〜図９に示すように、実施の形態３にかかる流体噴射回収装置３は、内部に水２００を収容可能なメインタンク１２０と、メインタンク１２０に接続され、メインタンク１２０内に収容された水２００を濾過する濾過器１２と、濾過器１２に接続され、濾過器１２で濾過された水２００を対象物としての人間の身体２１０に吹付ける流体吹付器１３と、メインタンク１２０に接続され、身体２１０に吹付けられた水２００をメインタンク１２０内に回収する回収器１４と、メインタンク１２０に接続され、メインタンク１２０内の気体を吸引してメインタンク１２０内を負圧にする吸引器１５０と、メインタンク１２０に接続され、メインタンク１２０から濾過器１２を経て供給される水２００の温度を制御するヒータ１６０と、流体噴射回収装置１の運転を制御する制御盤１７と、これらを載置して移動可能な基台１８と、を備えて構成されている。
【００８２】
メインタンク１２０は、密閉可能であり、略中央部が中空となった略円筒形を有し、吸引器１５０による減圧（例えば、約１５×１０３Ｐａ）に耐えうる強度を有している。また、内部に収容される流体に犯されない材質で構成されている。メインタンク１２０の上面（天井面）には、後に詳述するセパレータ１４３が配設されている。メインタンク１２０の下部には、内部の水２００を外部に排出するための、前述した実施の形態で使用したドレイン用コック２２と同様のコック（図示せず）が設けられている。また、メインタンク１２０の壁面には、内部に収容した水２００の液量を目視可能な液面計２３と、流体吹付器１３の流体供給チューブ３１と、回収器１４の吸引ホース３５を掛止可能なフック２４が設けられている。また、メインタンク１２０の略中央部に形成された中空部分には、上端がセパレータ１４３に連通し、下端がファンモータ４１に連通したダクト１３０が配設されている。
【００８３】
流体吹付器１３は、基端が濾過器１２のフィルタ２７に接続され、先端が、前述した実施の形態で使用したノズル３６（図１及び図３参照）に接続された流体供給チューブ３１と、流体供給チューブ３１に接続されたポンプ１３２を備えて構成されている。このポンプ１３２は、濾過器１２内に収容されかつフィルタ２７により濾過された水２００を汲み上げて流体供給チューブ３１の先端から吹出させるものであり、吹出される水２００の圧力を制御する圧力制御装置１３３が接続されている。この圧力制御装置１３３は、水２００（温水）を身体２１０に吹付ける際の水圧を任意に制御可能であり、この水圧を制御することによって、水２００によるマッサージ効果を得ることもできる。なお、圧力制御装置１３３は、例えば、吹出される水２００の圧力を、強、中、弱等のいくつかの段階に切り替えるようにしてもよく、さらに細かく制御してもよい。また、圧力制御装置１３３の操作は、例えば、制御盤１７に設けられた切り替えスイッチ（図示せず）によって行ってもよく、コントローラ等によって遠隔操作してもよい。
【００８４】
吸引器１５０は、メインタンク１２０の下方に配設されたファンモータ４１と、一端がファンモータ４１に連通されたダクト１３０と、ダクト１３０の他端が連通されると共に、メインタンク１２０の上方に配設された気液分離装置としてのセパレータ１４３を備えて構成されている。
【００８５】
このセパレータ１４３は、図８に示すように、平面（上面）から見て略円形を備えた略ドーム型を有しており、内部に気液混合流体が導入される流体導入室１４４を備えている。流体導入室１４４内には、メインタンク１２０から気液混合流体を導入するための吸込口１４５が形成されている。また、流体導入室１４４内には、流体導入室１４４内で旋回流を発生させるように、気液混合流体が接線方向に吸気されるよう構成した吸気ガイド１４６が、吸込口１４５に連続して形成されている。そして、流体導入室１４４内に導入された気液混合流体は、サイクロンの原理で気体と液体とに分離され、分離された気体がファンモータ４１によってダクト１３０を介して吸引される。この構成により、水滴がファンモータ４１の中に浸入することを防止している。
【００８６】
ヒータ１６０は、メインタンク１２０の外部に設けられ、メインタンク１２０から濾過器１２を経て、ポンプ１３２によって供給された水２００を所定の温度に保温する。この保温された水（温水）２００は、流体供給チューブ３１を介してノズル３６（図１及び図３参照）から、身体２１０に吹付けられる。
【００８７】
次に、実施の形態３にかかる流体噴射回収装置３を使用して、身体２００をマッサージする際の具体的動作について説明する。
【００８８】
メインタンク１２０内に水２００を所定量収容する。次に、制御盤１７を操作して吸引器１５０のファンモータ４１を駆動すると、ファンモータ４１の吸気力により、セパレータ１４３の流体導入室１４４内に、メインタンク１２０内の気液混合流体が、吸込口１４５から導入される。この吸込口１４５から導入された気液混合流体は、吸気ガイド１４６誘導され、図７及び図８に矢印で示すように流体導入室１４４内に旋回流を発生させる。この動作によって、サイクロンの原理により、前記気液混合流体は、気体と液体とに分離され、ファンモータ４１に水２００が吸い込まれないようにしている。ダクト１３０を介してファンモータ４１によって吸引された気体は、ファンモータ４１を通り、所定の排気口から外部に排出される。
【００８９】
一方、ポンプ１３２の作動によって、水２００は、濾過器１２のタンク２６内に収容されている水２００を汲み上げる。この時、ポンプ１３２は、圧力制御装置１３３によって、水２００がノズルから噴出される際の圧力を制御する。汲み上げられた水２００は、ヒータ１６０によって、所望温度に保温され、この保温された水（温水）２００は、流体供給チューブ３１を介して、ノズル３６（図１及び図３参照）に供給される。
【００９０】
この状態では、ノズル３６が身体２１０から離間しているため、前述した実施の形態で説明したように、ノズル本体５１内が十分な負圧となっていない。したがって、ピストン部５７はノズル上限位置に存在しており、流体供給チューブ３１から噴出している洗浄液１００は、開口部５３ａの下部面に衝突し、ノズル３６の開口部５２から外部に噴出しない。この状態で、ノズル３６の開口部５２を身体２１０に押し当てると、吸引器１５０の吸引によって、ノズル本体５１内が十分な負圧になる。すなわち、大気圧と、この負圧との差圧によって、駆動部５４のピストン部５７がスプリング５９の弾撥力に抗して、ノズル３６の内側（下方）に向けて変位させる。さらに、このピストン部５７の変位が、軸部５８を介して遮蔽板５３を変位させ、開口部５３ａから水２００を身体２１０に向けて噴出させる。
【００９１】
この動作によって、ノズル３６の開口部５２から、身体２１０に吹付けられた水（温水）２００は、その吹付け力によってマッサージ効果を身体２１０にもたらすことができる。身体２１０に吹付けられた水２００は、直ちにノズル３６を介して吸引ホース３５から吸引され、メインタンク１２０内に回収される。この時、例えば、身体２１０に吹付けられた水２００によって、老化した皮膚や汚れ等が身体２１０から剥がされた場合は、これらも水２００と一緒にメインタンク１２０内に回収される。また、このような老化した皮膚や汚れ等が身体２１０から剥がされない場合には、メインタンク１２０内に水２００が回収される。したがって、吹付けられた水２００が、液だれしたり、あるいは落下して使用者の衣服や、布団、あるいは床等を濡らしたりすることがない。以上によって、メインタンク１２０内は、水２００と回収した液とが共存することになる。
【００９２】
メインタンク１２０内に収容された水２００及び回収した液は、ポンプ１３２の作動によって濾過器１２に供給され、ここでフィルタ２７によって濾過されて流体供給チューブ３１から、再びノズル３６に供給される。
【００９３】
このように、実施の形態３にかかる流体噴射回収装置３は、図９に示すように、「水２００の吹付け→吹付けられた水２００によるマッサージ→吹付けられた水２００の吸引回収→回収された水２００の濾過→濾過されて再び水２００として吹付けられる」、というサイクルを繰り返す。この結果、水２００を効率よく再使用することができ、水２００の補充インターバルを長くとることができる。したがって、流体噴射回収装置３の連続運転時間を長くとることができる。
【００９４】
なお、前述した実施の形態１及び２では、対象物として壁を、除去物としてこの壁に付着した汚れを、流体として洗浄液を使用した場合について説明し、実施の形態３では、対象物として身体２１０を、流体として水（温水）２００を使用し、身体２１０を水２００によってマッサージする場合について説明したがこれに限らず、対象物としては、本明細書中で前述したように、本発明にかかる流体噴射回収装置から噴射される流体が吹付けられる物であれば、特に限定される物ではないことは勿論である。
【００９５】
すなわち、実施の形態１及び２にかかる流体噴射回収装置１及び２を、実施の形態３のように身体２１０をマッサージするために使用してもよい。この場合、流体噴射回収装置１及び２に、圧力制御装置１３３を装備させることもできる。また、実施の形態３にかかる流体噴射回収装置３を洗浄装置として使用してもよい。
【００９６】
さらにまた、ノズル３６から噴出する流体の圧力を任意に制御することで、例えば、対象物として人間の顔を使用し、流体として水（温水、水蒸気）、化粧水、美容液、保湿液、アロマ剤（香気剤）剤入り溶液等を使用して、本発明にかかる流体噴射回収装置を美顔器として利用することもできる。
【００９７】
そしてまた、ノズル３６から噴出する流体の圧力を高圧にすれば、ノズル３６からウォータージェットを噴出させ、例えば、コンクリートや石、金属等を切断したり、加工することもできる。
【００９８】
さらにまた、
【発明の効果】
以上説明したように、本発明にかかる流体噴射回収装置は、回収器によってメインタンク内に回収された流体を、濾過器によって濾過し、この濾過された流体を再び流体吹付器から対象物に対して吹付けることができる。このため、前記流体を効率よく再使用することができ、前記流体の補充インターバルを長くとることができる。この結果、流体噴射回収装置の連続運転時間を延長することができ、作業効率が向上すると共に、廃棄される流体の量も減らすことができる。
【図面の簡単な説明】
【図１】本発明の実施の形態１にかかる流体噴射回収装置の概略図である。
【図２】図１に示す流体噴射回収装置の濾過器付近を示す拡大側面図である。
【図３】図１に示すＩＩＩ−ＩＩＩ線に沿った断面図である。
【図４】図１に示す流体噴射回収装置の流体の循環を示す概念図である。
【図５】本発明の実施の形態２にかかる流体噴射回収装置の概略図である。
【図６】本発明の他の実施の形態にかかる流体噴射回収装置の補充タンク部分を示す概略図である。
【図７】本発明の実施の形態３にかかる流体噴射回収装置の側面の一部を破断した状態を示す図である。
【図８】図７に示す流体噴射回収装置のセパレータ部分を示す平面図である。
【図９】図７に示す流体噴射回収装置の流体の循環を示す概念図である。
【符号の説明】
１、２、３　　流体噴射回収装置
１１、１２０　　メインタンク
１２　　濾過器
１３　　流体吹付器
１４　　回収器
１５、１５０　　吸引器
１６、１６０　　ヒータ
１７　　制御盤
１８　　基台
２３　　液面計
２７　　フィルタ
３１　　流体供給チューブ
３２、１３２　　ポンプ
３５、４２　　吸引ホース
３６　　ノズル
４１　　ファンモータ
４３、１４３　　セパレータ
６１　　補充タンク
７１　　サブタンク
１００　　洗浄液
１０１　　洗浄仕上液
１１０　　壁
１１１　　汚れ
１４４　　流体導入室
２００　　水
２１０　　身体
【図１】
2004141845.tif 000003
【図２】
2004141845.tif 000004
【図３】
2004141845.tif 000005
【図４】
2004141845.tif 000006
【図５】
2004141845.tif 000007
【図６】
2004141845.tif 000008
【図７】
2004141845.tif 000009
【図８】
2004141845.tif 000010
【図９】
2004141845.tif 000011